(57)【要約】例えば、ガラスシートのためのコーナープロテクタは、一対の実質的に垂直なブリッジ壁（２５、２６）により連結される一対の全体的に三角形の側壁（２３、２４）を有する。ブリッジ壁の内面は実質的に平坦であり、溝（１５、３５）により分離される。内通路（１６）は側壁とブリッジ壁との接合部に沿って設けられ、コーナープロテクタとの衝突中に保護される物品の側面と縁面との接合部での応力を減少する。ブリッジ壁の外端間で延びる側壁の境界（２７）は湾曲され、境界は、それらの最大長のために互いから相互にオフセットされる。【選択図】図４
2009511373.tif 000002
【特許請求の範囲】
【請求項１】
コーナープロテクタは一対の実質的に垂直なブリッジ壁（３１、３２）により連結される一対の側壁（２３、２４）を含み、すくなくとも一方の側壁は側壁を通り延びる開口（４０）を含み、開口（４０）はコーナープロテクタを所定場所に保持するために物品に接着する接着パッド（Ｐ）収容することを特徴とする、前記コーナープロテクタ。
【請求項２】
前記ブリッジ壁は、溝（３５）により分離される内面を有する、請求項１に記載のコーナープロテクタ。
【請求項３】
前記ブリッジ壁は、前記側壁とブリッジ壁との接合部と平行なブリッジ壁の自由端から延びる内通路（３６）を有する、請求項１に記載のコーナープロテクタ。
【請求項４】
前記側壁はブリッジ壁の外端間で延び、湾曲され、全長に沿って互いから相互にオフセットされる縁（２７）を有する、請求項１に記載のコーナープロテクタ。
【請求項５】
前記側壁の湾曲縁は実質的にＳ形状である、請求項４に記載のコーナープロテクタ。
【請求項６】
前記開口（４０）は指ノッチ（４２）を含む、請求項１に記載のコーナープロテクタ。
【請求項７】
前記ブリッジ壁により接合される側壁の縁は、一方の端または両端（２８、２９、３０）で各々、湾曲される、請求項１に記載のコーナープロテクタ。
【発明の詳細な説明】
【技術分野】
【０００１】
本発明は、取扱中および移送中にガラスシートのコーナーを保護することを意図するコーナープロテクタに関する。しかしながら、この装置は、例えば、金属シート、家具、絵画、大理石、石工工事等の他の容易に損傷されるコーナーを保護することにも使用できる。物品のコーナーを保護することに加えて、このコーナープロテクタは、そのようなコーナーとの偶然の接触により生じる損傷の危険を減らす。さらに、以下で説明されるように、このコーナープロテクタは、保護されるコーナー間の区域に対する損傷の危険も減らす。
【背景技術】
【０００２】
例えば、ガラスシートは移送中および取扱中に度々、破砕される。ガラスシートの最も弱い部分は、ガラスシートのコーナーの非常に近くに位置しており、特に２つの実質的に平坦な面間の接合部に位置していることが観察された。取扱中の全破砕の約７５％は、コーナーと他の硬い物品との直接的な接触により発生する。そのような接触により全シートが粉々に割れるかも知れず、取扱者に重傷を負わせる危険を生じる。
【０００３】
多くの他の破砕は、ガラスまたは大理石のシートのような砕け易いシートの底縁と、硬い物品との接触により生じ、このために、その上にシートを立てることになる任意の表面を注意深く点検し、整える必要がある。例えば、シートが自動車内で移送中にネジ、釘または小石上に不注意に置かれるならば、多くの場合、シートは損傷を受け、全シートは廃棄されることになるであろう。
【０００４】
本発明は、実質的に保護される物品の損傷の危険を減らし、取付けおよび取外しが容易であり、なお、要求される限り長い間、所定個所に止まるコーナープロテクタの新規で進歩性のある形状を提供することを目的とする。
【発明の開示】
【０００５】
本発明は、一対の実質的に垂直なブリッジ壁により連結され、一対の側壁を含むコーナープロテクタを提案する。
【０００６】
ブリッジ壁の内面は、好ましくは実質的に平坦であり、好ましくは溝により分割される。そのような溝は、コーナープロテクタが受ける任意の衝撃が、保護される物品の垂直な縁面間の接合部に伝えられる危険を著しく減らす。内通路は、好ましくは側壁とブリッジ壁との接合部に沿って設けられ、コーナープロテクタとの衝突中に保護される物品の側面と縁面との接合部での応力を減少する。
【０００７】
好ましくは、ブリッジ壁の外端の間で延びる側壁の境界は、最大長さのために互いからオフセットされ、好ましくは湾曲される。このことは、コーナープロテクタが横の衝撃を受ける時に、コーナープロテクタ内で囲まれる物品のコーナーが割れる危険を減らす。
【０００８】
好ましくは、一方の側壁は、コーナープロテクタを所定場所に保持するために、使用中に保護される物品に接着する接着パッドを収容する開口を含む。開口は、好ましくは、側壁を通って延び、接着パッドは、コーナープロテクタが所定位置に設置された後で開口を通して挿入できる。開口は、好ましくは、コーナープロテクタを取外すために、保護される物品からパッドを剥ぎ取ることを容易にするために接着パッドの縁に触れられるように指ノッチを有する。
【０００９】
保護される物品のコーナー区域に伝達される応力をさらに減らすため、ブリッジ壁により接合される側壁の縁は、好ましくは、一方の端または両端で湾曲される。
【００１０】
（図面の簡単な説明）
引用される次の説明および添付図面には、発明がどのようにして実施できるかを図示するための無制限な実施例が含まれる。
図１は、本発明によるコーナープロテクタの全体的な外観図である。
図２は、全体的にシート平面内でガラスシートに適用されるようなコーナープロテクタの断面図である。
図３は、図２の線ＩＩＩ−ＩＩＩでの平面と垂直なコーナープロテクタの断面図である。
図４は、本発明による変形コーナープロテクタの側面図である。
図５は、側壁間の変形コーナープロテクタの断面図である。
図６は、図５の面ＶＩ−ＶＩでのコーナープロテクタの別の断面図である。
【発明を実施するための最良の形態】
【００１１】
図１の実施例により示されるコーナープロテクタは、ガラスシートまたは類似した材料のコーナーを保護することを意図される。このコーナープロテクタは射出成形プラスチック構造部品１と接着パッド２から成る。
【００１２】
プラスチック構造部品１は、相互に垂直な一対のブリッジ壁１１、１２により連結される２つの実質的に平行な側壁３、４を有する。側壁３、４は全体的に三角形の輪郭を有し、一対の相互に垂直な縁５、６と傾斜縁７とを有する。垂直な縁５、６の間の接合区域８は、２つの縁間で滑らかな移行部を形成するために、好ましくは湾曲される。垂直な縁５、６の各々は、また、湾曲区域９に関して示されるように、傾斜縁７へ向けて湾曲してもよい。しかしながら、垂直な縁５、６の一方または両方は、１０で示されるように傾斜縁７と角度のある移行部を形成してもよい。
【００１３】
図２の断面を参照すると、ブリッジ壁１１、１２は、側壁３、４の垂直な縁５、６の間に延びる。
【００１４】
２つのブリッジ壁の内面１３、１４は、実質的に平坦で相互に垂直である。しかしながら、２つの壁が交わる場所において、ブリッジ壁の内面には、側壁３、４間で延びる内溝１５が形成される。さらに、側壁３、４の内面には、ブリッジ壁１１、１２との接合部に沿って延びる通路１６が形成される。
【００１５】
接着パッド２は、周知の接触接着剤で形成、または被覆でき、スポンジのような弾力性を有する。パッドは全体的に三角形であり、図３で示されるように一方の側壁４内で浅く協働する形状溝１７内に設置される。使用前に接着パッドの露呈表面は溝からわずかに突出する。対向する側壁３の傾斜縁７は、好ましくはノッチ１８（図１）で形成され、ノッチは全体的に接着パッド２の寸法と形状に一致する。このノッチは、製造中の接着パッドまたはコーナープロテクタの適用を容易にし、また、接着パッドに適用される保護剥取りシートを、使用前に簡単に除去することを可能にする。
【００１６】
例えば、適切な厚さのガラスの矩形シートを保護するために、上記のコーナープロテクタの１つは、４つのコーナーの各々に適用される。接着パッドから任意の剥取りシートを除去後に内面１３、１４がシートの隣接する直線縁Ａ、Ｂと接触するまで、コーナープロテクタは図２、図３で示されるシートＧに対してシート面と平行な方向へスライドさせられる。そのようなスライド運動中に弾性パッド２は、溝１７内で圧縮され、接触期間が、強力な接着結合を進めるために十分となる時には、プロテクタが適切な場所になるまで接着を生じない。コーナープロテクタはブリッジ壁１１、１２により固定配置されるが、コーナープロテクタと縁Ａ、Ｂが交わるシートのコーナー区域とで接触することはないことが注目されるであろう。また、接触は通路１６により縁Ａ、Ｂの境界に沿って減少する。コーナープロテクタと他の物品との接触により生じる衝撃は、それ故、縁Ａ、Ｂの区域に亘り分散されるであろう。
【００１７】
コーナープロテクタは、保護されるコーナーとの接触で発生するかもしれない損傷の危険を減らす。コーナープロテクタの湾曲外部表面８、９は、シートを積み重ねる時に運動の容易さを提供し、ノックオフされるコーナープロテクタの危険を減らす。さらに、シートが平坦表面上に立てられるならば、シートの底縁Ｂは、コーナープロテクタにより平坦表面を離れて上昇され、
シートの底縁に対する損傷の危険を減らす。
【００１８】
コーナープロテクタは、接着結合より十分に強い、縁ＡおよびＢの内の一方と平行な圧力を適用することにより取外すことができる。コーナー区域１０は必要である時、ブーツまたは靴による圧力を適用することにより、コーナープロテクタの取外しを容易にする。
【００１９】
図４乃至図６で示される変形コーナープロテクタは、ガラスシートに取付けるのが幾分容易であり、よりしっかりと取付けでき、コーナープロテクタの強度がノッチ１８により損なわれないことを保証する。図４を考慮すると、コーナープロテクタは、一対の相互に平行なブリッジ壁３１、３２により連結される２つの実質的に平行な側壁２３、２４を有する射出成形プラスチック構造部品２１から成る。側壁２３、２４は、両方が全体的に三角形状であり、凹状部分２７．１と凸状部分２７．２で形成される第３縁２７により接合される一対の相互に垂直な縁２５、２６を有する。凹状部分と凸状部分は、対向する側壁上に置換され、凹状部分２７．１は両方が凸状部分２７．２と対向する位置ある。この配列は、以下で説明するようにコーナープロテクタがガラスシートに取付けられる時に、力がコーナーを横切り直線状にかけられる代わりにガラス区域に亘り分散され、破断されるコーナーの危険を実質的に減らすことを保証する。垂直な縁２５と縁２６との接合部は２８で湾曲され、各垂直な縁の対向端部は、縁２７に交わるように２９、３０で湾曲される。しかしながら、反対に、垂直な縁２５、２６の一方または両方は、縁２７に対して角度のある移行部を形成してもよい。２つの側壁２３、２４は、両方が整列した貫通開口４０備えて形成される。その開口は、矩形の主部分４１およびより小さな指ノッチ４２を備えた実質的にＴ形状である。主部分４１は、コルクまたは他の柔軟弾性材の接着剤で被覆されるパッドを受け入れるための形状であり、使用前に接着剤層に適用される保護剥取りシートを有してもよい。
【００２０】
図５を参照すると、ブリッジ壁３１、３２は、側壁２３、２４の垂直な縁２５、２６との間で延びる。２つのブリッジ壁の内面３３、３４は、実質的に平坦であり、相互に垂直であり、２つの壁が交わる場所に内溝３５が形成される。内通路３６は、図６で示されるように、側壁２３、２４とブリッジ壁２１、２２との接合部に沿って延びる。
【００２１】
ブリッジ壁３１、３２の外面には、それぞれのブリッジ壁を横切って横断して延び、図４で示される狭い平坦な底にある溝３８を設けることができる。これらの溝は移行中にガラスシートの周りに、しばしば、配置される皮帯バンドを位置決めするために設けられる。
【００２２】
適切な厚さのガラスシートを保護するために、例えば、１つのコーナープロテクタを４つのコーナーの各々に適用する。内面３３、３４がガラスシートの隣接する直線縁と接触するまで、コーナープロテクタをガラスにスライドさせた後、接着パッドＰは開口４０の一方または両方を通して挿入され（図５を参照）、コーナープロテクタを所定位置に保持するためにガラスに粘着される。
【００２３】
コーナープロテクタは、損傷の危険を減らしてシートのコーナーを保護する。溝３５は、通路３６がシート縁に沿って減少する接触を確実にする間、シートのコーナー区域と接触しないことを確実にする。それ故、コーナープロテクタに対する任意の衝撃は、傷つき易い縁から離れてガラスシート面に亘って分散される。
【００２４】
このコーナープロテクタは、パッド縁に指で触れられるようにノッチ４２を使用して、シートから接触パッドを剥取ることにより容易に取外すことができる。
【００２５】
ここで説明したコーナープロテクタは、種々の厚さのシートを保護するために、種々の幅で製造できる。
【００２６】
ここで開示された特徴は、任意の実行可能な組合せで存在することが理解されるであろう。上記の説明は、組合せが新規であると信じられる、これらの区域を強調する一方、保護は、ここで開示される特徴の進歩性のある組合せのために請求される。
【図面の簡単な説明】
【００２７】
【図１】本発明によるコーナープロテクタの全体的な外観図である。
【図２】全体的にシート平面内でガラスシートに適用されるようなコーナープロテクタの断面図である。
【図３】図２の線ＩＩＩ−ＩＩＩでの平面と垂直なコーナープロテクタの断面図である。
【図４】本発明による変形コーナープロテクタの側面図である。
【図５】側壁間の変形コーナープロテクタの断面図である。
【図６】図５の面ＶＩ−ＶＩでのコーナープロテクタの別の断面図である。
【符号の説明】
【００２８】
１  プラスチック構造部品
２  接着パッド
３、４  側壁
５、６  相互に垂直な縁
７  傾斜縁
１１，１２  ブリッジ壁
２３、２４  側壁
【図１】
2009511373.tif 000003
【図２】
2009511373.tif 000004
【図３】
2009511373.tif 000005
【図４】
2009511373.tif 000006
【図５】
2009511373.tif 000007
【図６】
2009511373.tif 000008
【国際調査報告】
2009511373.tif 000009
2009511373.tif 000010